(57)【要約】【課題】  １つの圧電素子に加わった圧力が駒等を介して隣の圧電素子に伝わるのを防止することができ、弦振動を正確に反映したピックアップ信号を得ることができるピックアップ装置を提供する。【解決手段】  １つの弦１５に対して複数の圧電素子３３を設けるとともに、複数の圧電素子３３を上下から挟む上側可撓性基板３２および下側可撓性基板３４を設け、複数の圧電素子３３の各々をサドル２２側から駒１４側に向けて別個に付勢する複数の高剛性ブロック３１と、複数の圧電素子３３の各々を駒１４側からサドル２２側に向けて別個に付勢する複数の高剛性ブロック３５とを設けた。【選択図】図３
2015075564.tif 000002
【特許請求の範囲】
【請求項１】
弦を支持するサドルと駒との間に配置された圧電素子により弦の振動をピックアップする弦楽器のピックアップ装置において、
１つの弦に対して複数の圧電素子を設け、前記複数の圧電素子の各々に前記サドル側から別個に対向する複数の第１の凸部と、前記複数の圧電素子の各々に前記駒側から別個に対向する複数の第２の凸部とを設け、
前記複数の圧電素子を前記第１の凸部と前記第２の凸部によって各々挟持してなることを特徴とする弦楽器のピックアップ装置。
【請求項２】
前記複数の圧電素子から信号を取り出すための信号電極が形成された下側可撓性基板を前記複数の圧電素子と前記駒との間に設け、
前記複数の圧電素子を接地する接地電極が形成された上側可撓性基板を前記複数の圧電素子と前記サドルとの間に設けたことを特徴とする請求項１に記載のピックアップ装置。
【請求項３】
前記第１の凸部は、前記サドルの底面から下方に向けて突出した複数の脚部であることを特徴とする請求項１または２に記載のピックアップ装置。
【請求項４】
前記第２の凸部は、前記駒の上面から前記複数の圧電素子に向けて突出した複数の凸部であることを特徴とする請求項１〜３のいずれか１の請求項に記載のピックアップ装置。
【請求項５】
前記第１の凸部または第２の凸部における前記圧電素子との対向面の寸法を前記圧電素子の上面または下面の寸法よりも小さくしたことを特徴とする請求項１〜４のいずれか１の請求項に記載のピックアップ装置。
【発明の詳細な説明】
【技術分野】
【０００１】
本発明は、ギター等の弦楽器の弦の振動をピックアップするピックアップ装置に関する。
【背景技術】
【０００２】
サドルおよび駒（ギターの場合はブリッジと呼ばれることが多い）間に配置された複数の圧電素子により１本の弦の振動をピックアップするピックアップ装置が各種提案されている。例えば特許文献１に開示されたピックアップ装置では、ギターのブリッジのトップ面に可撓性回路基板が接着され、この可撓性回路基板上に弦の長手方向に沿って２個の圧電素子が配置されている。そして、弦を支持するサドルが弦の振動を２個の圧電素子に伝える。このピックアップ装置によれば、１本の弦の振動がサドルを介して２個の圧電素子に伝わり、２個の圧電素子の出力信号から弦振動の各種の成分を取り出すことができる。
【先行技術文献】
【特許文献】
【０００３】
【特許文献１】特開２００１−３５６７７４号公報
【発明の概要】
【発明が解決しようとする課題】
【０００４】
ところで、上述した従来のピックアップ装置は、１つの圧電素子に加わった圧力が駒等を介して隣の圧電素子に伝わりやすく、弦振動を正確に反映したピックアップ信号を得ることが難しいという問題があった。
【０００５】
本発明は、このような課題に鑑みてなされたものであり、１つの圧電素子に加わった圧力が駒等を介して隣の圧電素子に伝わるのを防止することができ、弦振動を正確に反映したピックアップ信号を得ることができるピックアップ装置を提供することを目的とする。
【課題を解決するための手段】
【０００６】
この発明は、弦を支持するサドルと駒との間に配置された圧電素子により弦の振動をピックアップする弦楽器のピックアップ装置において、１つの弦に対して複数の圧電素子を設け、前記複数の圧電素子の各々に前記サドル側から別個に対向する複数の第１の凸部と、前記複数の圧電素子の各々に前記駒側から別個に対向する複数の第２の凸部とを設け、前記複数の圧電素子を前記第１の凸部と前記第２の凸部によって各々挟持してなることを特徴とする弦楽器のピックアップ装置を提供する。
【０００７】
この発明によれば、サドルおよび駒間において、複数の圧電素子の各々が別個の第１および第２の凸部により上下から挟持されているので、各圧電素子に伝達された力が隣接する圧電素子に伝わるのを防止することができる。
【図面の簡単な説明】
【０００８】
【図１】この発明の第１実施形態であるピックアップ装置を備えたギターの構成を示す斜視図である。
【図２】同ピックアップ装置のサドルの構成を示す斜視図である。
【図３】同ピックアップ装置を弦に垂直な平面により切断した構成を示す断面図である。
【図４】同ピックアップ装置の下側可撓性基板の信号配線面のレイアウトを示す平面図である。
【図５】同実施形態において弦の振動を軸方向成分に分離する際に想定する座標軸を説明する図である。
【図６】同実施形態において弦の振動を軸方向成分に分離する原理を説明する図である。
【図７】同実施形態の効果を示す図である。
【図８】同実施形態の他の効果を示す図である。
【図９】この発明の第２実施形態であるピックアップ装置を弦に垂直な平面により切断した構成を示す断面図である。
【図１０】この発明の第２実施形態以降の各実施形態において使用するサドルの構成を示す斜視図である。
【図１１】この発明の第３実施形態であるピックアップ装置を弦に垂直な平面により切断した構成を示す断面図である。
【図１２】この発明の第４実施形態であるピックアップ装置を弦に垂直な平面により切断した構成を示す断面図である。
【図１３】この発明の第５実施形態であるピックアップ装置を弦に垂直な平面により切断した構成を示す断面図である。
【図１４】この発明の第６実施形態であるピックアップ装置を弦に垂直な平面により切断した構成を示す断面図である。
【図１５】この発明の第７実施形態であるピックアップ装置を弦に垂直な平面により切断した構成を示す断面図である。
【発明を実施するための形態】
【０００９】
以下、図面を参照し、この発明の実施の形態を説明する。
＜第１実施形態＞
図１はこの発明の第１実施形態であるピックアップ装置を備えたギター（エレクトリック・アコースティックギター）１０の外観を示す図である。
【００１０】
ギター１０は、胴１１、指板１２およびヘッド１３を備えている。胴１１の上面には駒１４が固定されている。この駒１４とヘッド１３との間に６本の弦１５が張設されている。この６本の弦１５は、駒１４上に設けられたピックアップ装置２０により支持されている。
【００１１】
図２はピックアップ装置２０におけるサドル２２の構成例を示す斜視図である。図２に示すように、サドル２２は、正四角錐形状をなしており、その正四角錐の頂点に当たる位置に弦１５を受け容れる溝２２ｂを有している。ピックアップ装置２０は、このサドル２２を６個有しており、この６個のサドル２２により６本の弦１５を支持する。
【００１２】
図３はピックアップ装置２０を弦１５と直交する平面により切断した構成を示す断面図である。なお、図３では、図面が煩雑になるのを防ぐため、ピックアップ装置２０のうち２本の弦１５のピックアップを行う部分のみが図示されている。
【００１３】
図３に示すように、ピックアップ装置２０は、６本の弦１５を支持する各サドル２２の下面と駒１４の上面との間に、高剛性ブロック３１と、上側可撓性基板３２と、圧電素子３３と、下側可撓性基板３４と、高剛性ブロック３５とを挟んだ構成となっている。圧電素子３３は、上側可撓性基板３２または下側可撓性基板３４を介して高剛性ブロック３１と高剛性ブロック３５とによって挟持されている。サドル２２は、比較的ヤング率の低い合成樹脂、象牙、牛骨等を用いることができるが、好ましくはユリア系樹脂を用いることができる。また、高剛性ブロック３１または高剛性ブロック３５としては、金属またはセラミックからなるブロックを用いることが好ましい。金属としては例えばニッケル、鉄、銅又はそれらの合金であってもよいし、熱処理によって剛性を高めたものでもよい。セラミックとしては例えばアルミナ、ジルコニア、窒化アルミ等を用いることができる。ここで、高剛性ブロック３１または高剛性ブロック３５は導電体であっても絶縁体であってもよい。また、高剛性ブロック３１と高剛性ブロック３５は、サドル２２並びに圧電素子３３よりも剛性が高いことが望ましい。
【００１４】
各圧電素子３３は、厚さ方向の応力に応じた電圧を出力する素子である。そして、図３では、サドル２２および駒１４間の方向（すなわち、上下方向）が各圧電素子３３の厚さ方向となっている。
【００１５】
高剛性ブロック３１と、圧電素子３３と、高剛性ブロック３５は、１つのサドル２２に対して各々４個ずつ設けられる。１つのサドル２２に着目すると、このサドル２２の正方形状の底面の４隅に４個の高剛性ブロック３１が各々固定されている。そして、この４個の高剛性ブロック３１の直下の各領域を、４個の圧電素子３３および４個の高剛性ブロック３５が各々占めている。すなわち、高剛性ブロック３１、圧電素子３３、高剛性ブロック３５は、駒１４上の共通の領域を占めている。
【００１６】
そして、図３に示す構成において、複数のサドル２２の各々の下面に各々固定された複数の高剛性ブロック３１は、複数の圧電素子３３の各々にサドル２２側から駒１４側に向けて別個に弦１５からの振動を伝達する振動伝達部として機能する。このとき複数の高剛性ブロック３１は弦１５の張力によって複数の圧電素子３３を付勢していると考えられる。また、駒１４上に配置された複数の高剛性ブロック３５は、複数の圧電素子３３の各々を駒１４側から各サドル２２側に向けて別個に支持する支持部として機能する。このとき複数の高剛性ブロック３５は、複数の高剛性ブロック３１と同様に、弦１５の張力によって複数の圧電素子３３を付勢しているとも考えられる。また、複数の高剛性ブロック３５は複数の高剛性ブロック３１と共に、複数の圧電素子３３を挟持している。
【００１７】
上側可撓性基板３２の下面は、接地電極が全面に形成された接地面３２ａとなっている。各圧電素子３３は、各々の一方の電極をこの接地面３２ａに接触させている。上側可撓性基板３２は、各圧電素子３３の一方の電極を接地する役割を果たすとともに、シールドとしての役割を果たす。
【００１８】
下側可撓性基板３４の下面は、全面に亙って接地電極が形成された接地面３４ａとなっている。この接地面３４ａはシールドとしての役割を果たす。下側可撓性基板３４は、この接地面３４ａを高剛性ブロック３５の上に載せている。下側可撓性基板３４の上面は、図４に示す信号配線パターンが形成された信号配線面３４ｂとなっている。
【００１９】
図４に示すように、信号配線面３４ｂには、１個のサドル２２（１本の弦１５）について４個の信号電極４０＿１、４０＿２、４０＿３、４０＿４が設けられている。これらの信号電極４０＿１、４０＿２、４０＿３、４０＿４に４個の圧電素子３３の各電極面が載せられて電気的に接続される。また、信号配線面３４ｂには弦１５を横切る方向に４本の信号配線４１、４２、４３および４４が形成されている。６個のサドルに各々対応した６個の信号電極４０＿１（図４ではそのうち２個のみを図示。以下同様。）は信号配線４１に接続され、６個の信号電極４０＿２は信号配線４２、６個の信号電極４０＿３は信号配線４３に、６個の信号電極４０＿４は信号配線４４に各々接続されている。信号配線４１〜４４は、図示しない信号処理回路に接続されている。この信号処理回路は、信号電極４０＿１、４０＿２、４０＿３、４０＿４から得られる４個の圧電素子３３の出力信号の処理を行ってピックアップ信号を生成する。図４において同一の種類の電極は信号配線によって接続されているが、各サドルごとに分離した配線にしてもよい。
【００２０】
この信号処理回路が行う信号処理の内容は次の通りである。まず、信号電極４０＿１、４０＿２、４０＿３、４０＿４に対して、図５に示すような相対方向を有するＸ軸、Ｙ軸、Ｚ軸を想定する。なお、図５では、図面が煩雑になるのを防止するため、信号電極４０＿ｉの番号ｉのみにより各信号電極の位置が示されている。図５に示すように、Ｘ軸はギターの弦１５（図１参照）に平行な軸であり、Ｙ軸は信号電極４０＿ｉ（ｉ＝１〜４）を含む平面内において弦１５と直交する方向の軸であり、Ｚ軸は信号電極４０＿ｉ（ｉ＝１〜４）を含む平面と直交する軸である。本実施形態では、信号電極４０＿ｉ（ｉ＝１〜４）の出力信号を合成することにより、弦１５の振動をＸ軸成分、Ｙ軸成分、Ｚ軸成分に分離して抽出する。
【００２１】
ここで、図６（ａ）〜（ｆ）を参照し、弦１５の振動の各成分の分離抽出処理について説明する。図６（ａ）はサドル２２および信号電極４０＿ｉ（ｉ＝１〜４）をＹ軸方向から見た図、図６（ｂ）は同サドル２２および信号電極４０＿ｉ（ｉ＝１〜４）を上方から見た図である。なお、図６（ａ）では、図面が煩雑になるのを防止するため、高剛性ブロック３１、上側可撓性基板３２、下側可撓性基板３４、高剛性ブロック３５の図示を省略している。後述する図６（ｃ）および（ｅ）も同様である。図６（ａ）において弦１５に加わるＸ軸方向の力成分は、信号電極４０＿２および４０＿４上の各圧電素子３３と対向しているサドル２２の下面を上方に持ち上げ、信号電極４０＿１および４０＿３上の各圧電素子３３と対向しているサドル２２の下面を下方に押し下げる。
【００２２】
また、図６（ｃ）はサドル２２および信号電極４０＿ｉ（ｉ＝１〜４）をＸ軸方向から見た図、図６（ｄ）は同サドル２２および信号電極４０＿ｉ（ｉ＝１〜４）を上方から見た図である。図６（ｃ）において弦１５に加わるＹ軸方向の力成分は、信号電極４０＿１および４０＿２上の各圧電素子３３と対向しているサドル２２の下面を上方に持ち上げ、信号電極４０＿３および４０＿４上の各圧電素子３３と対向しているサドル２２の下面を下方に押し下げる。
【００２３】
また、図６（ｅ）はサドル２２および信号電極４０＿ｉ（ｉ＝１〜４）をＹ軸方向から見た図、図６（ｆ）は同サドル２２および信号電極４０＿ｉ（ｉ＝１〜４）を上方から見た図である。図６（ｅ）において弦１５に加わる−Ｚ軸方向（下向き）の力成分は、全ての信号電極４０＿ｉ（ｉ＝１〜４）上の各圧電素子３３と対向しているサドル２２の下面を下方に押し下げる。
【００２４】
そこで、本実施形態における信号処理回路は、信号電極４０＿ｉ（ｉ＝１〜４）の出力信号から弦１５に加わるＸ軸方向の圧力値ＰＸ、Ｙ方向の圧力値ＰＹおよびＺ軸方向の圧力値ＰＹを示すピックアップ信号を生成する。ここで、信号電極４０＿ｉ（ｉ＝１〜４）の出力信号が示す圧力値Ｐｉ（ｉ＝１〜４）と、信号処理回路のピックアップ信号が示すＸ軸方向の圧力値ＰＸ、Ｙ方向の圧力値ＰＹおよびＺ軸方向の圧力値ＰＺとの関係は次の通りである。
ＰＸ＝Ｐ１−Ｐ２＋Ｐ３−Ｐ４        ……（１）
ＰＹ＝Ｐ１＋Ｐ２−Ｐ３−Ｐ４        ……（２）
ＰＺ＝Ｐ１＋Ｐ２＋Ｐ３＋Ｐ４        ……（３）
以上が本実施形態によるピックアップ装置２０の構成の詳細である。
【００２５】
上記圧力値ＰＸ、ＰＹ、ＰＺを正確に示すピックアップ信号を得るためには、他からの干渉を受けることなく１本の弦１５の振動を余すことなく正確に４個の圧電素子３３に伝える必要がある。本実施形態では、上側可撓性基板３２および下側可撓性基板３４間に複数の圧電素子３３が挟まれており、柔軟性を有する上側可撓性基板３２および下側可撓性基板３４によって４個の圧電素子３３はお互いに干渉されることはない。また、複数のサドル２２の下面から突出した複数の高剛性ブロック３１が上側可撓性基板３２を介して複数の圧電素子３３の各々にサドル２２側から駒１４側に向けて別個に接触している。さらに駒１４の上面から突出した複数の高剛性ブロック３５が下側可撓性基板３４を介して、複数の圧電素子３３の各々に駒１４側から各サドル２２側に向けて別個に支持するように接触している。すなわち、複数の高剛性ブロック３１と複数の高剛性ブロック３５とによって複数の圧電素子３３が挟持されることで、複数の圧電素子３３が付勢されている。このため、本実施形態によれば、他からの干渉を受けることなく弦１５の振動を４個の圧電素子３３に余すことなく正確に伝えることができる。この場合、複数のサドル２２、複数の高剛性ブロック３１、上側可撓性基板３２、複数の圧電素子３３、下側可撓性基板３４、複数の高剛性ブロック３５、駒１４は接着剤等で接合されていてもよいし、必要な界面だけ接合してもよいし、接合していなくてもよい。以下、図７および図８を参照し、この効果について説明する。
【００２６】
図７に示す例では、図中、右側のサドル２２が支持する弦１５にＹ軸方向の力が加わり、右側のサドル２２は、その下面の左側の領域を押し下げ、右側の領域を持ち上げている。しかし、左側のサドル２２と右側のサドル２２との間の区間において上側可撓性基板３２が撓むため、右側のサドル２２の下面の左側の領域の圧力は、左側のサドル２２によって損なわれることなく、当該領域の直下の圧電素子３３に伝達される。
【００２７】
また、図中右側のサドル２２では、その下面の左側の領域が押し下げられる一方、右側の領域が持ち上げられる。しかし、サドル２２の下面の中央付近の区間において上側可撓性基板３２が撓むので、サドル２２の下面の左側の領域の圧力（正の圧力）とサドル２２の下面の右側の領域の圧力（負の圧力）は、互いに邪魔し合うことなく、各圧電素子３３に伝達される。
【００２８】
また、右側のサドル２２の下面の左側の領域が押し下げられたとしても、上側可撓性基板３２が撓むので、当該領域の圧力が、当該領域の直下の圧電素子３３と隣接する圧電素子３３に伝達されるのを回避することができる。同様に、右側のサドル２２の下面の右側の領域が持ち上げられたとしても、上側可撓性基板３２が撓むので、当該領域の圧力（負の圧力）が、当該領域の直下の圧電素子３３と隣接する圧電素子３３に伝達されるのを回避することができる。従って、クロストークを防止することができる。
【００２９】
また、本実施形態では、柔軟な上側可撓性基板３２および下側可撓性基板３４を使用し、かつ、各圧電素子３３と駒１４との間に高剛性ブロック３５を介在させるという特徴的な構成を採用したため、駒１４を介した圧電素子３３間のクロストークを低減することができる。
【００３０】
さらに詳述すると、図８に示すように、サドル２２から圧電素子３３まで伝わった圧力は、圧電素子３３から駒１４全体に伝わるため、駒１４を撓ませることとなる。そして、仮に各圧電素子３３を駒１４に固着させたとすると、駒１４の撓みは各圧電素子３３に伝達され、各圧電素子３３が撓む。各圧電素子３３の撓みは、各圧電素子３３にほぼ同相の出力を生じさせる。この結果、駒１４を介した圧電素子３３間のクロストークが発生する。
【００３１】
しかし、本実施形態では、柔軟な上側可撓性基板３２および下側可撓性基板３４が使用され、かつ、各圧電素子３３と駒１４との間に駒１４よりサドル２２側に突出して第２の凸部となる高剛性ブロック３５が介在している。このため、駒１４が撓んでも高剛性ブロック３５は撓まない。従って、弦１５の振動によって各圧電素子３３が撓むのを防止し、隣接する圧電素子３３間の駒１４の撓みによるクロストークを防止することができる。
【００３２】
以上、弦１５にＹ軸方向の力が加わった場合について説明したが、Ｘ軸方向の力が加わった場合についても同様である。
【００３３】
以上のように、本実施形態によれば、サドル２２の支持する弦１５が振動したとき、他のサドル２２によって邪魔されることなく、また、隣接する圧電素子３３間でクロストークを発生させることなく、当該サドル２２の下の４個の圧電素子３３により弦１５の振動を正確に検出することができる。
また、本実施形態によれば、上側可撓性基板３２の接地面３２ａおよび下側可撓性基板３４の接地面３４ａが全ての圧電素子３３を覆うシールドとして働くので、ピックアップ信号に外来ノイズが重畳するのを防止することができる。
【００３４】
＜第２実施形態＞
図９は、この発明の第２実施形態であるピックアップ装置を弦１５に垂直な平面により切断した構成を示す断面図である。なお、図９において、図３（第１実施形態）に示された要素と共通する要素には同一の符号を使用し、その説明を省略する。本実施形態では、上記第１実施形態のサドル２２（図２参照）に代えて、図１０に示すサドル２２Ａが使用されている。このサドル２２Ａは、正方形状の底面の４隅から下方に突出した４個の脚部２２ａ、２２ｃ、２２ｅおよび２２ｆを有している。また、このサドル２２Ａを採用したことに伴い、本実施形態では第１実施形態における高剛性ブロック３１が削除されている。本実施形態では、サドル２２Ａの脚部２２ａ、２２ｃ、２２ｅおよび２２ｆが、複数の圧電素子３３の各々をサドル２２Ａ側から駒１４側に向けて突出して別個に接触する複数の第１の凸部として機能する。本実施形態においても上記第１実施形態と同様な効果が得られる。
【００３５】
＜第３実施形態＞
図１１は、この発明の第３実施形態であるピックアップ装置を弦１５に垂直な平面により切断した構成を示す断面図である。なお、図１１において、図９（第２実施形態）に示された要素と共通する要素には同一の符号を使用し、その説明を省略する。本実施形態では、上記第２実施形態における高剛性ブロック３５が削除されている。その代りに本実施形態では、上記第２実施形態において高剛性ブロック３５が占めていた領域、すなわち、各圧電素子３３の下部領域に凸部１４Ｂを有する駒１４Ａが設けられている。本実施形態では、この駒１４Ａの凸部１４Ｂが、複数の圧電素子３３の各々を駒１４Ａ側からサドル２２Ａ側に向けて突出して別個に接触する複数の第２の凸部として機能する。本実施形態においても上記第１実施形態と同様な効果が得られる。また、本実施形態によれば、駒１４Ａにおいて、各圧電素子３３の圧力が伝わる各凸部１４Ｂがその間の凹部によって分離されている。このため、各凸部１４Ｂの上面の撓みが小さくなることで、圧電素子３３間のクロストークを低減することができる。駒１４の材料としては固めの木材が好ましく、例えばローズウッドや黒檀等が好ましい。
【００３６】
＜第４実施形態＞
図１２は、この発明の第４実施形態であるピックアップ装置を弦に垂直な平面により切断した構成を示す断面図である。なお、図１２において、図１１（第３実施形態）に示された要素と共通する要素には同一の符号を使用し、その説明を省略する。本実施形態では、この駒１４Ａにおいて、複数の圧電素子３３の下部領域の他、弦１５の並び方向におけるピックアップ装置の両端の位置に２つの凸部１４Ｂが設けられている。そして、下側可撓性基板３４の両端部がこの２つの凸部１４Ｂに載せられている。本実施形態によれば、上記第３実施形態と同様な効果の他、下側可撓性基板３４を固定し易いという効果が得られる。
【００３７】
＜第５実施形態＞
図１３は、この発明の第５実施形態であるピックアップ装置を弦に垂直な平面により切断した構成を示す断面図である。なお、図１３において、図１２（第４実施形態）に示された要素と共通する要素には同一の符号を使用し、その説明を省略する。本実施形態では、駒１４Ａにおいて凸部１４Ｂにおける圧電素子３３との対向面の寸法(矩形の場合は縦と横）を圧電素子３３の下面の寸法(矩形の場合は縦と横）よりも小さくしている。本実施形態においても、上記第４実施形態と同様な効果が得られる。また、本実施形態によれば、駒１４Ａの曲げ振動が圧電素子３３に伝わりにくくなるという効果が有られる。また、本実施形態によれば、凸部１４Ｂと対向している圧電素子３３の下面中央の領域に垂直方向の応力が集中するので、圧電素子３３における垂直方向の圧力の検出精度を高めることができる。また、サドル２２Ａから圧電素子３３より小さな凸部を突出させても同様の効果を得ることができる。この場合、凸部における圧電素子３３との対向面の寸法が圧電素子３３の上面または下面の寸法よりも小さくなるようにする。
【００３８】
＜第６実施形態＞
図１４は、この発明の第６実施形態であるピックアップ装置を弦に垂直な平面により切断した構成を示す断面図である。なお、図１４において、図９（第２実施形態）に示された要素と共通する要素には同一の符号を使用し、その説明を省略する。本実施形態は、上記第２実施形態における高剛性ブロック３５をサドル２２Ａの外側にオフセットさせたものである。本実施形態によれば、上記第２実施形態と同様の効果の他、複数の高剛性ブロック３５がサドル２２Ａの外側にオフセットしているので、弦１５の振動に対してサドル２２Ａが安定するという効果が得られる。また、サドル２２Ａから突出させた凸部を外側にオフセットさせても同様の効果を得ることができる。この場合、凸部における圧電素子との対向面の寸法が圧電素子の上面又は下面の寸法よりも小さくなる。
【００３９】
＜第７実施形態＞
図１５は、この発明の第７実施形態であるピックアップ装置を弦に垂直な平面により切断した構成を示す断面図である。なお、図１５において、図９（第２実施形態）に示された要素と共通する要素には同一の符号を使用し、その説明を省略する。本実施形態では、上記第２実施形態における下側可撓性基板３４を駒１４上に直に固定し、この下側可撓性基板３４の信号配線面３４ｂの信号電極４０＿ｉ（ｉ＝１〜４）（図４参照）の上に金属製の高剛性ブロック３５を固定し、これらの高剛性ブロック３５の上面に各圧電素子３３の下面を固定している。本実施形態においても上記第２実施形態と同様な効果が得られる。この場合、高剛性ブロック３５は導電体であることが好ましい。
【００４０】
＜他の実施形態＞
以上、この発明の各実施形態について説明したが、この発明には他にも実施形態が考えられる。例えば上記各実施形態では、本発明をギターのピックアップ装置に適用したが、本発明はギター以外の弦楽器にも勿論適用可能である。また、上記各実施形態において、高剛性ブロックの代わりに、高弾性樹脂からなるブロックを使用してもよい。
【００４１】
＜各実施形態の応用＞
この発明の各実施形態において、Ｘ軸方向の信号を優先的に得ることによってアタック感を得ることができる。具体的には、Ｘ軸方向の信号は弦の固有振動を拾っているために高周波成分が際立っており、演奏者の弾き方の特徴を抽出しやすくなる。Ｙ軸方向の信号は響板の影響を受けないために減衰が少なく、サスティーン感を抽出しやすい。Ｚ軸の信号は通常のギターの音が反映される。そこで、各軸ごとの信号をフィルタリングし、重み付けを調整して、合成をすることで、演奏者が希望する音質にすることができる。特にＸ軸方向の信号から例えば２ｋＨｚのハイパスフィルタによって高周波成分を抽出し、この抽出した信号の重み付けを大きくすることで、アタック感を高めることができる。Ｙ軸方向の信号からは低周波側の信号を抽出し、この抽出した信号の重み付けを大きくすることでサスティーン感を高めることができる。
【符号の説明】
【００４２】
２０……ピックアップ装置、１５……弦、２２，２２Ａ……サドル、１４，１４Ａ……駒、１４Ｂ……凸部、３１，３５……高剛性ブロック、３２……上側可撓性基板、３４……下側可撓性基板、３２ａ，３４ａ……接地面、３４ｂ……信号配線面、３３……圧電素子、４０＿ｉ（ｉ＝１〜４）……信号電極、４１〜４４……信号配線、２２ａ，２２ｃ，２２ｅ，２２ｆ……脚部。
【図１】
2015075564.tif 000003
【図２】
2015075564.tif 000004
【図３】
2015075564.tif 000005
【図４】
2015075564.tif 000006
【図５】
2015075564.tif 000007
【図６】
2015075564.tif 000008
【図７】
2015075564.tif 000009
【図８】
2015075564.tif 000010
【図９】
2015075564.tif 000011
【図１０】
2015075564.tif 000012
【図１１】
2015075564.tif 000013
【図１２】
2015075564.tif 000014
【図１３】
2015075564.tif 000015
【図１４】
2015075564.tif 000016
【図１５】
2015075564.tif 000017